(57)【要約】      （修正有）【課題】容易に爪とぎ面を増加できるとともに、立体的なペットの生活空間を形成できる爪研ぎ器を提供する。【解決手段】爪とぎ１００は、外郭部１０１、第１嵌合部１０３、及び、第２嵌合部１０５を有している。外郭部１０１、第１嵌合部１０３、及び、第２嵌合部１０５は、片面段ボールを、複数、積層することによって形成されている。第１嵌合部１０３は、外郭部１０１が有する外郭嵌合空間に嵌合し、第２嵌合部１０５は、第１嵌合部１０３が有する第１嵌合空間に勘合するので、コンパクトに収納できる。外郭部１０１の内面、側面、第１嵌合部１０３の内面、側面、及び、第２嵌合部１０５の側面は、猫の爪とぎ面として機能する。【選択図】図１
2020058257.tif 000002
【特許請求の範囲】
【請求項１】
段ボールを積層して形成する爪とぎ器であって、
所定形状の内部空間を有する外側部、
前記内部空間に嵌合する内側部、
を有する爪とぎ器。
【請求項２】
請求項１に係る爪とぎ器において、
前記内側部は、
内部空間を有し、
前記内側部の前記内部空間に嵌合する他の内側部、
を有する爪とぎ器。
【請求項３】
請求項１又は請求項２に係る爪とぎ器において、
前記内側部は、
曲面状の側面を有すること、
を特徴とする爪とぎ器。
【請求項４】
請求項３に係る爪とぎにおいて、
前記外側部、及び／又は、前記内側部は、
色付きの前記段ボールを複数層、積層した１段の段ボールを、複数段、積層して形成されていること、
を特徴とする爪とぎ器。
【発明の詳細な説明】
【技術分野】
【０００１】
本発明は、爪とぎ器に関し、特に、容易に爪とぎ面を増加できるとともに、立体的なペットの生活空間を形成できるものに関する。
【背景技術】
【０００２】
従来の爪とぎ器について、図１５に示す爪とぎ器を用いて説明する。爪とぎ器は、開口部を上に向けて設置されるケース３と、ケースの内側に嵌め込まれた段ボール積層体４とを備え、ケースの外側５には、複数の凸型連結部６Ａ及び凹型連結部６Ｂが設けられている。複数のケース３を第一の方向に並べて配置するとともに第一の方向とは交差する第二の方向にも並べて配置した際、隣り合う位置に並べられるケース３を、互いの凸型連結部６Ａ、凹型連結部６Ｂを介して連結可能に構成されており、段ボール積層体４は、ケースから取り外して新たな段ボール積層体４と交換可能に構成されている。
【０００３】
これにより、複数の爪とぎ器を従来品よりも複雑な形態に連結してペットの生活空間となる場所を構成でき、しかも、爪とぎ器の研磨体を収容するケースを無駄にすることなく研磨体だけを新品に交換可能な爪とぎ器及びペットスペースを提供することができる（以上、特許文献１参照）。
【先行技術文献】
【特許文献】
【０００４】
【特許文献１】特開２０１２―２９６０３号公報
【発明の概要】
【発明が解決しようとする課題】
【０００５】
前述の爪とぎ器には、以下に示すような改善すべき点がある。前述の爪とぎ器では、段ボール積層体４を用いて、ペットの生活空間を、いくつかの形態に形成できる一方、段ボール積層体４では、ペットの生活空間を、平面状にしか形成できない、という改善すべき点がある。
【０００６】
また、段ボール積層体４では、平面形状の上面、又は、下面のみが、爪とぎ面として機能するため、爪とぎ面を増加させるためには、段ボール積層体４を増加させるしかない。つまり、爪とぎ面を増加しようと思えば、段ボール積層体４の数を増加させ、結果として、平面形状を大きするしかない、という改善すべき点がある。
【０００７】
そこで、本発明は、容易に爪とぎ面を増加できるとともに、立体的なペットの生活空間を形成できる爪とぎ器を提供することを目的とする。
【発明の効果】
【０００８】
本発明における課題を解決するための手段及び発明の効果を以下に示す。
【０００９】
本発明に係る爪とぎ器は、段ボールを積層して形成する爪とぎ器であって、所定形状の内部空間を有する外側部、前記内部空間に嵌合する内側部、を有する。
【００１０】
これにより、外側部の内部空間の内面に爪とぎ面を形成できるとともに、内側部の表面にも爪とぎ面を形成できる。つまり、爪とぎ器の爪とぎ面を容易に増加できる。
【００１１】
また、内部空間を、ペットの生活空間として利用できる。さらに、３次元の内部空間を有するため、立体的なペットの生活空間を形成できる。
【００１２】
さらに、外側部に内側部に嵌合できるため、コンパクトに収納できる。
【００１３】
本発明に係る爪とぎ器では、前記内側部は、内部空間を有し、前記内側部の前記内部空間に嵌合する他の内側部、を有する。
【００１４】
これにより、内側部を外側部として機能させることができるため、少なくとも、外側部、及び、２つの内側部という３種類の部材を勘合させることができる。つまり、少なくとも３つ以上の爪研ぎ用の部材を形成できるとともに、コンパクトに収納できる。
【００１５】
本発明に係る爪とぎ器では、前記内側部は、曲面状の側面を有すること、を特徴とする。
【００１６】
これにより、爪とぎ面として最も機能する段ボールの中芯紙の波状の端面を、曲面に容易に露出させることができる。
【００１７】
本発明に係る爪とぎでは、前記外側部、及び／又は、前記内側部は、色付きの前記段ボールを複数層、積層した１段の段ボールを、複数段、積層して形成されていること、を特徴とする。
【００１８】
これにより、色に関するデザイン性に優れた爪とぎ器を形成することができる。
【図面の簡単な説明】
【００１９】
【図１】本発明に係る爪とぎ器の一実施例である爪とぎ器１００を示す斜視図である。
【図２】爪とぎ器１００の収納状態を示す斜視図である。
【図３】外郭部１０１を示す斜視図である。
【図４】外郭部１０１の６面図である。
【図５】第１嵌合部１０３を示す斜視図である。
【図６】外郭部１０１の６面図である。
【図７】第２嵌合部１０５を示す斜視図である。
【図８】外郭部１０１の６面図である。
【図９】爪とぎ器１００の使用例を示すである。
【図１０】爪とぎ器１００の使用例を示すである。
【図１１】本発明にかかる爪とぎ器のその他の実施例を示す図である。
【図１２】本発明にかかる爪とぎ器のその他の実施例を示す図である。
【図１３】本発明にかかる爪とぎ器のその他の実施例を示す図である。
【図１４】本発明にかかる爪とぎ器のその他の実施例を示す図である。
【図１５】従来の爪とぎ器を示す図である。
【発明を実施するための形態】
【００２０】
以下、本発明の実施例について、図面を参照しながら詳細に説明していく。
【実施例１】
【００２１】
本発明に係る爪とぎ器について、図１に示す猫用の爪とぎ器１００を例に説明する。爪とぎ器１００は、ペットである猫用の爪とぎに用いるものである。
【００２２】
第１  構成
爪とぎ１００は、外郭部１０１、第１嵌合部１０３、及び、第２嵌合部１０５を有している。外郭部１０１、第１嵌合部１０３、及び、第２嵌合部１０５は、片面段ボールを、複数、積層することによって形成されている。なお、段ボールとは、波状の中芯紙に、平らな表板紙をはり合わせたものをいう。また、片面段ボールとは、表板紙を中芯紙の片面にはった段ボールをいう。なお、表板紙を中芯紙の両面にはった段ボールを両面段ボールという。使用する段ボールについては、強化した中芯紙や板紙を使用するようにしてもよい。
【００２３】
第１嵌合部１０３は、外郭部１０１が有する外郭嵌合空間Ｓ１０１（図３参照）に嵌合する。同様に、第２嵌合部１０５は、第１嵌合部１０３が有する第１嵌合空間Ｓ１０３（図５参照）に勘合する。つまり、外郭部１０１と第１嵌合部１０３との関係においては、外郭部１０１は外側部として、第１嵌合部１０３は内側部として機能する。また、第１嵌合部１０３と第２嵌合部１０５との関係においては、第１嵌合部１０３は外側部として、第２嵌合部１０５は内側部として機能する。
【００２４】
図２に示すように、第１嵌合部１０３を外郭部１０１の外郭嵌合空間Ｓ１０１に、第２嵌合部１０５を第１嵌合部１０３の第１嵌合空間Ｓ１０３に、それぞれ勘合させることによって、猫用爪とぎ１００は、外郭部１０１、第１嵌合部１０３、及び、第２嵌合部１０５が一体となった中実の直方体となる。つまり、猫用爪とぎ１００は、コンパクトに収納できる。
【００２５】
外郭部１０１を図３の斜視図に、また、図４の６面図に示す。図３に示すように、外郭部１０１は、直方体形状の外形を有している。外郭部１０１は、段ボールの積層方向に沿った４つの側面Ｐ１０１ａ、Ｐ１０１ｂ（図４参照）、Ｐ１０１ｃ（図４参照）、Ｐ１０１ｄ、段ボールの積層方向に交差する端面Ｐ１０１ｅ、Ｐ１０１ｆ（図４参照）、及び、円柱形状の側面に沿った内面Ｐ１０１ｇを有している。端面Ｐ１０１ｅ、Ｐ１０１ｆは、それぞれ、円形の開口Ａ１０１ｅ、Ａ１０１ｆ（図４参照）を有している。
【００２６】
外郭部１０１は、内面Ｐ１０１ｇ、及び、開口Ａ１０１ｅ、Ａ１０１ｆによって形成される円柱形状の外郭嵌合空間Ｓ１０１を有している。外郭嵌合空間Ｓ１０１は、第１嵌合部１０３を収容する、端面が開放した空間として形成される。
【００２７】
外郭嵌合空間Ｓ１０１を形成する内面Ｐ１０１ｇは、段ボールの積層方向に沿って形成されるため、段ボールの積層状態が露出する。また、側面Ｐ１０１ａ〜Ｐ１０１も、積層方向に沿って形成されるため、段ボールの積層状態が露出する。段ボールの積層状態が露出した面は、猫の爪とぎ面として機能する。
【００２８】
なお、側面Ｐ１０１ａ、Ｐ１０１ｄについては、中芯紙の波状端面が露出するため、最適な猫の爪とぎ面となる。このように、外郭部１０１は、側面Ｐ１０１ａ〜Ｐ１０１だけでなく、外郭嵌合空間Ｓ１０１を形成する内面Ｐ１０１ｇにも猫の爪とぎ面を有している。
【００２９】
また、外郭嵌合空間Ｓ１０１は、猫が位置する居住空間としても機能する。外郭嵌合空間Ｓ１０１は、外部から遮断された空間であるため、猫にとって落ち着いて眠ったり、休んだりする空間として機能する。なお、外郭嵌合空間Ｓ１０１に第１嵌合部１０３を嵌合させることによって、外郭嵌合空間Ｓ１０１の外部からの遮断度合いを高めることができる。さらに、第１嵌合空間Ｓ１０３に第２嵌合部１０５を勘合させることによって、外郭嵌合空間Ｓ１０１の外部からの遮断度合いを、さらに高めることができる。
【００３０】
第１嵌合部１０３を図５の斜視図に、また、図６の６面図に示す。図５に示すように、第１嵌合部１０３は、中空の円柱形状の外形を有している。第１嵌合部１０３は、段ボールの積層方向に沿った側面Ｐ１０３ａ、段ボールの積層方向に交差する円環形状の端面Ｐ１０３ｂ、Ｐ１０３ｃ（図６参照）、及び、円柱形状の側面に沿った内面Ｐ１０３ｄを有している。端面Ｐ１０３ｂ、Ｐ１０３ｃは、それぞれ、円形の開口Ａ１０３ｂ、Ａ１０３ｃ（図６参照）を有している。
【００３１】
第１嵌合部１０３は、内面Ｐ１０３ｄ、及び、開口Ａ１０３ｂ、Ａ１０３ｃによって形成される円柱形状の第１嵌合空間Ｓ１０３を有している。第１嵌合空間Ｓ１０３は、第２嵌合部１０５を収容する、端面が開放した空間として形成される。
【００３２】
第１嵌合空間Ｓ１０３を形成する内面Ｐ１０３ｄは、段ボールの積層方向に沿って形成されるため、段ボールの積層状態が露出する。また、側面Ｐ１０３ａも、積層方向に沿って形成されるため、段ボールの積層状態が露出する。つまり、第１嵌合部１０３は、側面Ｐ１０３ａだけでなく、第１嵌合空間Ｓ１０３を形成する内面Ｐ１０３ｄにも猫の爪とぎ面を有している。なお、内面Ｐ１０３ｄは、曲面として形成されるため、ほぼ全面に中芯紙の波状端面が露出する。このため、最適な猫の爪とぎ面となる。
【００３３】
また、第１嵌合空間Ｓ１０３は、猫が位置する居住空間としても機能する。第１嵌合空間Ｓ１０３は、外郭嵌合空間Ｓ１０１と同様、外部から遮断された空間であるため、猫にとって落ち着いて眠ったり、休んだりする空間として機能する。なお、外郭嵌合空間Ｓ１０１に第１嵌合部１０３を嵌合させることによって、第１嵌合空間Ｓ１０３の外部からの遮断度合いを高めることができる。さらに、第１嵌合空間Ｓ１０３に第２嵌合部１０５を勘合させることによって、第１嵌合空間Ｓ１０３の外部からの遮断度合いを、さらに高めることができる。
【００３４】
第２嵌合部１０５を図７の斜視図に、また、図８の６面図に示す。図７に示すように、第２嵌合部１０５は、中実の円柱形状の外形を有している。第２嵌合部１０５は、段ボールの積層方向に沿った側面Ｐ１０５ａ、段ボールの積層方向に交差する円形状の端面Ｐ１０５ｂ、Ｐ１０５ｃ（図８参照）を有している。
【００３５】
側面Ｐ１０５ａは、曲面として形成されるため、ほぼ全面に、中芯紙の波状端面が露出する。このため、最適な猫の爪とぎ面となる。つまり、第２嵌合部１０５は、側面Ｐ１０３ａに猫の爪とぎ面を有している。
【００３６】
第２  使用例
爪とぎ器１００の使用例を説明する。図１においては、第１嵌合部１０３を外郭嵌合空間Ｓ１０１に、第１嵌合部１０３を外郭嵌合空間Ｓ１０１に、それぞれある程度嵌合させ、外郭部１０１、第１嵌合部１０３、及び、第２嵌合部１０５を、直線状に横位置に配置している。この場合、図９に示すように、外郭嵌合空間Ｓ１０１と第１嵌合空間Ｓ１０３とを、一方が閉じられた一体空間として機能させることができる。
【００３７】
外郭部１０１、第１嵌合部１０３、及び、第２嵌合部１０５、それぞれの嵌合度合いを調整することによって、猫用爪とぎ１００全体の大きさを調整することができる。つまり、外郭部１０１、第１嵌合部１０３、及び、第２嵌合部１０５、それぞれの嵌合度合いを大きくすることによって、猫用爪とぎ１００全体の大きさを小さくでき、一方、それぞれの嵌合度合いを小さくすることによって、猫用爪とぎ１００全体の大きさを大きくできる。
【００３８】
また、爪とぎ器１００の外表面は、側面Ｓ１０１ａ〜Ｓ１０１ｄ、側面Ｓ１０３ａ、及び、側面Ｓ１０５ａが一体となり、段ボールの積層面が露出した爪とぎ面を形成する。さらに、爪とぎ器１００の内表面は、内面Ｓ１０１ｇ、及び、内面Ｓ１０３ｄが一体となり、段ボールの積層面が露出した爪とぎ面を形成する。なお、外郭部１０１、第１嵌合部１０３、及び、第２嵌合部１０５、それぞれの嵌合度合いを調整することによって、爪とぎ器１００の外表面、内表面に形成される爪とぎ面の大きさも調整することができる。
【００３９】
また、図１０に示すように、図９に示すある程度嵌合させた外郭部１０１、第１嵌合部１０３、及び、第２嵌合部１０５を、直線状に、縦位置に配置してもよい。
【００４０】
さらに、外郭部１０１、第１嵌合部１０３、第２嵌合部１０５を嵌合させずに、それぞれを個別に配置するようにしてもよい。
【００４１】
［その他の実施形態］
（１）第１嵌合部、第２嵌合部を形成する数：前述の実施例１においては、１つの中空直方体形状によって外郭部１０１を、１つの中空円柱形状によって第１嵌合部１０３を、１つの円柱形状によって第２嵌合部１０５を、それぞれ形成するとしたが、例示のものに限定されない。例えば、図１１に示す猫用爪とぎ器２００のように、１つの中空直方体形状を２分割した外郭部２０１ａ、２０１ｂによって外郭部を形成するようにしてもよい。第１嵌合部についても同様に、１つの中空円柱形状を２分割した第１嵌合部２０３ａ、２０３ｂによって形成するようにしてもよい。また、第２嵌合部についても同様に、１つの円柱形状を2分割した第２嵌合部２０５ａ、２０５ｂによって形成するようにしてもよい。分割数については、図１２に示すように、外郭部２０１ａ、２０１ｂに嵌合させて一体とできるものであれば、例示のものに限定されない。なお、図１１〜図１４においては、段ボールの積層状態については記載を省略している。
【００４２】
（２）外郭部に嵌合させる嵌合部の数：前述の実施例１においては、外郭部１０１に、第１嵌合部１０３、第２嵌合部１０５を勘合させるとしたが、例示のものに限定されない。例えば、図１３に示す爪研ぎ器３００のように、第１嵌合部３０３ａ、３０３ｂ、第２嵌合部３０５、及び、第３嵌合部３０７を外郭部３０１ａ、３０１ｂに嵌合させるようにしてもよい。
【００４３】
（３）外郭部に嵌合させる嵌合部の形状：前述の実施例１においては、第１嵌合部１０３は中空円柱形状、第２嵌合部１０５は円柱形状としたが、外郭部に嵌合できる例示のものに限定されない。例えば、半中空円柱状の第１嵌合部３０３ｂを用いるようにしてもよい。また、異なる形状の第１嵌合部３０３ａ、３０３ｂによって、第１嵌合部を形成するようにしてもよい。他の嵌合部についても同様である。
【００４４】
（４）段ボールの色：前述の実施例１において、外郭部１０１、第１嵌合部１０３、第２嵌合部１０５を形成する段ボールに、色付きの段ボールを使用するようにしてもよい。また、複数層、例えば、１０層の段ボールを１段として同一色の色付き段ボールにより形成し、色の異なる複数段、例えば、７色で７段を積層して、外郭部１０１、第１嵌合部１０３、第２嵌合部１０５を形成するようにしてもよい。これにより、爪とぎ器１００のデザイン性を向上させることができる。
【産業上の利用可能性】
【００４５】
本発明に係る爪とぎ器は、例えば、ペットである猫の爪とぎに用いることができる。
【符号の説明】
【００４６】
１００      爪研ぎ器
１０１      外郭部
Ｓ１０１      外郭嵌合空間
１０３      第１嵌合部
Ｓ１０３      第１嵌合空間
１０５      第２嵌合部
２００      爪研ぎ器
２０１ａ      外郭部
２０１ｂ      外郭部
２０３ａ      第１嵌合部
２０３ｂ      第１嵌合部
２０５ａ      第２嵌合部
２０５ｂ      第２嵌合部
３００      爪研ぎ器
３０１ａ      外郭部
３０１ｂ      外郭部
３０３ａ      第１嵌合部
３０３ｂ      第１嵌合部
３０５      第２嵌合部
３０７      第３嵌合部
【図１】
2020058257.tif 000003
【図２】
2020058257.tif 000004
【図３】
2020058257.tif 000005
【図４】
2020058257.tif 000006
【図５】
2020058257.tif 000007
【図６】
2020058257.tif 000008
【図７】
2020058257.tif 000009
【図８】
2020058257.tif 000010
【図９】
2020058257.tif 000011
【図１０】
2020058257.tif 000012
【図１１】
2020058257.tif 000013
【図１２】
2020058257.tif 000014
【図１３】
2020058257.tif 000015
【図１４】
2020058257.tif 000016
【図１５】
2020058257.tif 000017